(57)【特許請求の範囲】
【請求項１】
第１のハウジングと、前記第１のハウジングに支持される第１のコンタクトとを有し、第１の基板に搭載される第１のコネクタ部分と、
前記第１のハウジングを収容可能な第２のハウジングと、前記第２のハウジングに支持される第２のコンタクトとを有し、第２の基板に搭載される第２のコネクタ部分とを備え、
前記第１のハウジングを前記第２のハウジング内に収容するように前記第１のコネクタ部分と前記第２のコネクタ部分を結合することによって前記第１のコンタクトと前記第２のコンタクトが接触する電気コネクタであって、
前記第１のコネクタ部分と前記第２のコネクタ部分には、前記第１のコネクタ部分と前記第２のコネクタ部分との結合力を確保するための第１の補助金具と第２の補助金具が夫々設けられ、
前記第２のコネクタ部分の前記第２の補助金具は、前記第２のハウジングの外側において前記第２の基板のコネクタ搭載面の面方向に対して実質的に平行に延びる撓み部を有する片持ち梁状のロック梁を備え、
前記第１のコネクタ部分の前記第１の補助金具は、前記第１のコネクタ部分と前記第２のコネクタ部分を結合する際に、前記ロック梁の自由端を押し退け、前記ロック梁の前記自由端を乗り越えることで、前記ロック梁の前記自由端と係合する係合部を有する、
ことを特徴とする電気コネクタ。
【請求項２】
請求項１に記載の電気コネクタであって、
前記ロック梁の前記撓み部は前記第２のハウジングの外周面に沿って延びており、
前記ロック梁の前記自由端は前記第２のハウジング内へ突出している、
ことを特徴とする電気コネクタ。
【請求項３】
請求項２に記載の電気コネクタであって、
前記ロック梁の前記自由端には、前記第１の補助金具の前記係合部が前記ロック梁の前記自由端を押し退け易くするための傾斜面が形成されている、
ことを特徴とする電気コネクタ。
【請求項４】
請求項２又は３に記載の電気コネクタであって、
前記第１のハウジングを前記第２のハウジングから取り出す方向への前記ロック梁の前記自由端の変位を規制する変位規制部を更に備えた、
ことを特徴とする電気コネクタ。
【請求項５】
請求項４に記載の電気コネクタであって、
前記変位規制部は、前記第２のハウジングの一部として形成されている、
ことを特徴とする電気コネクタ。
【請求項６】
請求項４に記載の電気コネクタであって、
前記変位規制部は、前記第２の補助金具の一部として形成されている、
ことを特徴とする電気コネクタ。
【請求項７】
請求項６に記載の電気コネクタであって、
前記第２の補助金具は、前記変位規制部を前記第２の基板の前記コネクタ搭載面に対して固定することで前記変位規制部自体の変位を規制する基板接地部を更に備えている、
ことを特徴とする電気コネクタ。
【請求項８】
請求項７に記載の電気コネクタであって、
前記第２の補助金具の前記基板接地部は、前記変位規制部の近傍に形成されている、
ことを特徴とする電気コネクタ。
【請求項９】
請求項８に記載の電気コネクタであって、
前記ロック梁は前記基板接地部によって支持されるようになっており、
前記第２の補助金具は、
前記基板接地部に接続されると共に、前記ロック梁に沿うように前記基板接地部から前記ロック梁の固定端へ向かって延びるロック梁支持部と、
前記ロック梁支持部を前記ロック梁の前記固定端に連結するロック梁連結部とを更に備えている、
ことを特徴とする電気コネクタ。
【請求項１０】
請求項２〜９の何れかに記載の電気コネクタであって、
前記第２のハウジング内に突出している前記ロック梁の前記自由端をその突出方向とは反対の方向へ退避させるロック解除機構が設けられた、
ことを特徴とする電気コネクタ。
【請求項１１】
請求項１０に記載の電気コネクタであって、
前記ロック解除機構は、前記第２のハウジング内に突出している前記ロック梁の前記自由端をその突出方向とは反対の方向へ退避させるようなトルクを前記ロック梁に対して発生させるトルク発生手段によって構成されている、
ことを特徴とする電気コネクタ。
【請求項１２】
請求項１１に記載の電気コネクタであって、
前記トルク発生手段は、前記ロック梁の長手方向中途部に接続し、前記第２の基板の前記コネクタ搭載面の面方向に対して実質的に平行に延びる片持ち梁状のトルク発生梁によって構成されている、
ことを特徴とする電気コネクタ。
【請求項１３】
請求項１２に記載の電気コネクタであって、
前記トルク発生梁の自由端は、前記第２のハウジングの外側に形成されている、
ことを特徴とする電気コネクタ。
【発明の詳細な説明】
【技術分野】
【０００１】
本発明は電気コネクタに関する。
【背景技術】
【０００２】
この種の技術として、特許文献１は、本願の図３２に示すように、基板同士を電気的に接続するために用いられ、リセプタクルコネクタ５０と、プラグコネクタ５１とが嵌合してなる電気コネクタを開示している。このリセプタクルコネクタ５０にはロック部５２が形成されており、ロック部５２は先端に突起５３を有している。一方、プラグコネクタ５１の側面側端部にはプラグ側ホールドダウン５４が設けられており、このプラグ側ホールドダウン５４にはロック穴５５が設けられている。この構成で、リセプタクルコネクタ５０に形成されたロック部５２先端の突起５３が弾性変形してプラグコネクタ５１に設けられたロック穴５５に係止されることで、プラグコネクタ５１がリセプタクルコネクタ５０に係止されるようになっている。
【０００３】
また、特許文献２は、本願の図３３に示すように、回路基板に実装されたプラグコネクタ６０と、別の回路基板に実装されたリセプタクルコネクタ６１とから成るBtoB（Board to Board、登録商標）コネクタ構造を開示している。プラグコネクタ６０は、絶縁性の合成樹脂から成るプラグハウジング６２と、プラグハウジング６２に固定された導電性のプラグコンタクト６３と、コネクタの嵌合力を補強するためのプラグ補強金具６４とから成る。このプラグコネクタ６０に嵌合するリセプタクルコネクタ６１は、絶縁性の合成樹脂から成るリセプタクルハウジング６５と、リセプタクルハウジング６５に固定され、プラグコンタクト６３と電気的機械的接続をするリセプタクルコンタクト６６と、プラグ補強金具６４と係わり合ってコネクタの嵌合力を補強するためのリセプタクル補強金具６７とから成る。
【０００４】
本願の図３４に示すように、プラグ補強金具６４は、リセプタクル補強金具６７の対応する箇所に係合する片状の係合部６８を有する。係合部６８は係合片６８ａと、その先端外向きに凸状の突起６８ｂとを備える。一方、リセプタクル補強金具６７は、リセプタクルハウジング６５に固定される固定部６９と、その先から１８０度曲げ戻し、そこから垂直に延びる片状の係合部７０とから成る。係合部７０は、平板状の係合片７０ａと、係合片７０ａの中央部に板厚方向の圧潰によって形成された窪み状の凹部７０ｂとを具える。この圧潰によって形成された凹部７０ｂにプラグ補強金具６４の係合部６８に備わる凸状の突起６８ｂが係合してプラグコネクタ６０と、リセプタクルコネクタ６１との嵌合力が補強されるようになっている。
【先行技術文献】
【特許文献】
【０００５】
【特許文献１】特開２００７−９５３７１号公報
【特許文献２】特開２００９−２８３３５７号公報
【発明の概要】
【発明が解決しようとする課題】
【０００６】
特許文献１及び２には、レセプタクルコネクタとプラグコネクタとの結合に関して改善の余地があった。
【０００７】
本願発明の目的は、第１のコネクタ部分（例えばプラグコネクタ）と第２のコネクタ部分（例えばレセプタクルコネクタ）との結合時に必要となる力を低減する技術を提供することにある。
【課題を解決するための手段】
【０００８】
本願発明の観点によれば、第１のハウジングと、前記第１のハウジングに支持される第１のコンタクトとを有し、第１の基板に搭載される第１のコネクタ部分と、前記第１のハウジングを収容可能な第２のハウジングと、前記第２のハウジングに支持される第２のコンタクトとを有し、第２の基板に搭載される第２のコネクタ部分とを備え、前記第１のハウジングを前記第２のハウジング内に収容するように前記第１のコネクタ部分と前記第２のコネクタ部分を結合することによって前記第１のコンタクトと前記第２のコンタクトが接触する電気コネクタは、以下のように構成されている。前記第１のコネクタ部分と前記第２のコネクタ部分には、前記第１のコネクタ部分と前記第２のコネクタ部分との結合力を確保するための第１の補助金具と第２の補助金具が夫々設けられる。前記第２のコネクタ部分の前記第２の補助金具は、前記第２のハウジングの外側において前記第２の基板のコネクタ搭載面の面方向に対して実質的に平行に延びる撓み部を有する片持ち梁状のロック梁を備える。前記第１のコネクタ部分の前記第１の補助金具は、前記第１のコネクタ部分と前記第２のコネクタ部分を結合する際に、前記ロック梁の自由端を押し退け、前記ロック梁の前記自由端を乗り越えることで、前記ロック梁の前記自由端と係合する係合部を有する。
【０００９】
好ましくは、上記電気コネクタにおいて、前記ロック梁の前記撓み部は前記第２のハウジングの外周面に沿って延びており、前記ロック梁の前記自由端は前記第２のハウジング内へ突出している。
【００１０】
好ましくは、上記電気コネクタにおいて、前記ロック梁の前記自由端には、前記第１の補助金具の前記係合部が前記ロック梁の前記自由端を押し退け易くするための傾斜面が形成されている。
【００１１】
好ましくは、上記電気コネクタは、前記第１のハウジングを前記第２のハウジングから取り出す方向への前記ロック梁の前記自由端の変位を規制する変位規制部を更に備えた。
【００１２】
好ましくは、上記電気コネクタにおいて、前記変位規制部は、前記第２のハウジングの一部として形成されている。
【００１３】
好ましくは、上記電気コネクタにおいて、前記変位規制部は、前記第２の補助金具の一部として形成されている。
【００１４】
好ましくは、上記電気コネクタにおいて、前記第２の補助金具は、前記変位規制部を前記第２の基板の前記コネクタ搭載面に対して固定することで前記変位規制部自体の変位を規制する基板接地部を更に備えている。
【００１５】
好ましくは、上記電気コネクタにおいて、前記第２の補助金具の前記基板接地部は、前記変位規制部の近傍に形成されている。
【００１６】
好ましくは、上記電気コネクタにおいて、前記ロック梁は前記基板接地部によって支持されるようになっている。前記第２の補助金具は、前記基板接地部に接続されると共に、前記ロック梁に沿うように前記基板接地部から前記ロック梁の固定端へ向かって延びるロック梁支持部と、前記ロック梁支持部を前記ロック梁の前記固定端に連結するロック梁連結部とを更に備えている。
【００１７】
好ましくは、上記電気コネクタには、前記第２のハウジング内に突出している前記ロック梁の前記自由端をその突出方向とは反対の方向へ退避させるロック解除機構が設けられている。
【００１８】
好ましくは、上記電気コネクタにおいて、前記ロック解除機構は、前記第２のハウジング内に突出している前記ロック梁の前記自由端をその突出方向とは反対の方向へ退避させるようなトルクを前記ロック梁に対して発生させるトルク発生手段によって構成されている。
【００１９】
好ましくは、上記電気コネクタにおいて、前記トルク発生手段は、前記ロック梁の長手方向中途部に接続し、前記第２の基板の前記コネクタ搭載面の面方向に対して実質的に平行に延びる片持ち梁状のトルク発生梁によって構成されている。
【００２０】
好ましくは、上記電気コネクタにおいて、前記トルク発生梁の自由端は、前記第２のハウジングの外側に形成されている。
【発明の効果】
【００２１】
このように前記第２の補助金具が前記第２のハウジングの外側において前記第２の基板のコネクタ搭載面の面方向に対して実質的に平行に延びる撓み部を有する片持ち梁状のロック梁を備えることで、特許文献１に開示のロック部と比較して以下の効果を奏する。即ち、前記ロック梁は、梁長さを大きく確保することができるので、撓み易い構成とすることができる。前記ロック梁が撓み易ければ、前記第１の補助金具の前記係合部が、前記ロック梁の前記自由端を押し退け易い。従って、以上の構成によれば、前記第１のコネクタ部分と前記第２のコネクタ部分との結合時に必要となる力を低減することができる。
【図面の簡単な説明】
【００２２】
【図１】図１（ａ）は第１実施形態に係るプラグコネクタの基板側から見た斜視図であり、図１（ｂ）は第１実施形態に係るレセプタクルコネクタの結合側から見た斜視図である。
【図２】図２（ａ）はプラグコネクタの結合側から見た斜視図であり、図２（ｂ）はレセプタクルコネクタの基板側から見た斜視図である。
【図３】図３（ａ）及び図３（ｂ）はレセプタクル補助金具の結合側から見た斜視図である。
【図４】図４は、レセプタクル補助金具の正面図である。
【図５】図５（ａ）はプラグ補助金具の斜視図であり、図５（ｂ）はプラグ補助金具の正面図である。
【図６】図６（ａ）及び図６（ｂ）は、コネクタの結合時の作動説明図である。
【図７】図７（ａ）及び図７（ｂ）は、コネクタの結合時の作動説明図である。
【図８】図８（ａ）及び図８（ｂ）は、コネクタの結合時の作動説明図である。
【図９】図９（ａ）及び図９（ｂ）は、コネクタの結合時の作動説明図である。
【図１０】図１０（ａ）及び図１０（ｂ）は、コネクタの離脱時の作動説明図である。
【図１１】図１１（ａ）及び図１１（ｂ）は、コネクタの離脱時の作動説明図である。
【図１２】図１２（ａ）及び図１２（ｂ）は、コネクタの離脱時の作動説明図である。
【図１３】図１３（ａ）は第２実施形態に係るレセプタクル補助金具の結合側から見た斜視図であり、図１３（ｂ）はレセプタクル補助金具の基板側から見た斜視図である。
【図１４】図１４（ａ）は第３実施形態に係るレセプタクル補助金具の結合側から見た斜視図であり、図１４（ｂ）はレセプタクル補助金具の基板側から見た斜視図である。
【図１５】図１５は第４実施形態に係るレセプタクル補助金具とプラグ補助金具が係合した状態を示す正面図である。
【図１６】図１６は第５実施形態に係るレセプタクル補助金具とプラグ補助金具が係合した状態を示す正面図である。
【図１７】図１７（ａ）は第６実施形態に係るレセプタクルコネクタの結合側から見た斜視図であり、図１７（ｂ）はレセプタクルコネクタの基板側から見た斜視図である。
【図１８】図１８（ａ）及び図１８（ｂ）はレセプタクル補助金具とプラグ補助金具が係合した状態を結合側から見た斜視図である。
【図１９】図１９（ａ）及び図１９（ｂ）は、ロック解除機構の動作メカニズムを説明するための模式平面図である。
【図２０】図２０は、第７実施形態に係るレセプタクル補助金具の結合側から見た斜視図である。
【図２１】図２１は、レセプタクル補助金具の基板側から見た斜視図である。
【図２２】図２２は、第８実施形態に係るレセプタクルコネクタの斜視図である。
【図２３】図２３は、図２２の    XXIII-XXIII線矢視断面図である。
【図２４】図２４は、レセプタクル補助金具の結合側から見た斜視図である。
【図２５】図２５は、レセプタクル補助金具の基板側から見た斜視図である。
【図２６】図２６は、プラグコネクタのプラグ補助金具の斜視図である。
【図２７】図２７は、コネクタの結合時の作動説明図である。
【図２８】図２８は、コネクタの結合時の作動説明図である。
【図２９】図２９は、コネクタの離脱時の作動説明図である。
【図３０】図３０は、第８実施形態に係るレセプタクル補助金具の結合側から見た斜視図である。
【図３１】図３１は、レセプタクル補助金具の基板側から見た斜視図である。
【図３２】図３２は、特許文献１の図３に相当する図である。
【図３３】図３３は、特許文献２の図２に相当する図である。
【図３４】図３４は、特許文献２の図９に相当する図である。
【発明を実施するための形態】
【００２３】
（第１実施形態）
以下、図１（ａ）〜図１２（ｂ）に基づいて、本願発明の第１実施形態を説明する。
【００２４】
（コネクタ１）
図１（ａ）及び図１（ｂ）、図２（ａ）及び図２（ｂ）に示すコネクタ１（電気コネクタ）は、例えばPCB（Printed Circuit Board）やPWB（Printed Wiring Board）、FPC（Flexible Printed Circuits）、FFC（Flexible Flat Cable）などのプラグ側基板２（第１の基板）と、例えばPCB、PWB、FPC、FFCなどのレセプタクル側基板３（第２の基板）とを電気的に接続するためのものである。コネクタ１は、図２（ａ）に示すようにプラグ側基板２に搭載されるプラグコネクタ４（第１のコネクタ部分）と、図１（ｂ）に示すようにレセプタクル側基板３に搭載されるレセプタクルコネクタ５（第２のコネクタ部分）とによって構成されている。コネクタ１の主な用途は、携帯電話に代表される携帯型通信機器である。この場合、コネクタ１の主要な設計要求事項は、コネクタ１自身の低背化である。
【００２５】
プラグコネクタ４は、図１（ａ）及び図２（ａ）に示すように、絶縁性のプラグハウジング６（第１のハウジング）と、プラグハウジング６に支持される複数の導電性のプラグコンタクト７（第１のコンタクト）と、プラグハウジング６に支持される一対のプラグ補助金具８（第１の補助金具）によって構成されている。
【００２６】
レセプタクルコネクタ５は、図１（ｂ）及び図２（ｂ）に示すように、絶縁性のレセプタクルハウジング９（第２のハウジング）と、レセプタクルハウジング９に支持される複数の導電性のレセプタクルコンタクト１０（第２のコンタクト）と、レセプタクルハウジング９に支持される一対のレセプタクル補助金具１１（第２の補助金具）によって構成されている。
【００２７】
図１（ａ）及び図１（ｂ）、図２（ａ）、図２（ｂ）に示すように、レセプタクルコネクタ５のレセプタクルハウジング９は、プラグコネクタ４のプラグハウジング６を収容可能に形成されている。プラグハウジング６をレセプタクルハウジング９内に収容するようにプラグコネクタ４とレセプタクルコネクタ５を結合することによって、プラグコネクタ４が有する複数のプラグコンタクト７とレセプタクルコネクタ５が有する複数のレセプタクルコンタクト１０とが一対一で接続される。そして、プラグコネクタ４のプラグ補助金具８とレセプタクルコネクタ５のレセプタクル補助金具１１は、プラグコネクタ４とレセプタクルコネクタ５との結合力を確保するための役割を担っている。
【００２８】
ここで、各図に記した方向X0、方向X1、方向Y0、方向Y1、方向Z0、方向Z1について説明する。図１（ａ）及び図１（ｂ）に示すように方向Z0は、プラグコネクタ４をレセプタクルコネクタ５に結合する方向である。方向Z1は、方向Z0と反対の方向であって、プラグコネクタ４をレセプタクルコネクタ５から離脱する方向である。方向Y0は、複数のレセプタクルコンタクト１０（又はプラグコンタクト７）が列を成して並べられる方向である。方向Y1は、方向Y0と反対の方向である。方向X0は、方向Z0と方向Y0の双方に対して直交する方向である。方向X1は、方向X0と反対の方向である。
【００２９】
（レセプタクルハウジング９）
図１（ｂ）及び図２（ｂ）に示すように、レセプタクルハウジング９は、レセプタクル側基板３のコネクタ搭載面３ａに対して対向する底壁９ａと、底壁９ａを方向Y0及び方向Y1で挟む一対のレセプタクル補助金具保持壁９ｂと、底壁９ａを方向X0及び方向X1で挟む一対のレセプタクルコンタクト保持壁９ｃと、底壁９ａの中央から方向Z1に突出するコンタクト保持突起９ｄとから構成されている。そして、レセプタクルハウジング９のレセプタクル補助金具保持壁９ｂとレセプタクルコンタクト保持壁９ｃによってレセプタクルハウジング９の外周壁が構成されている。
【００３０】
各レセプタクル補助金具保持壁９ｂは、コンタクト保持突起９ｄ側の面である正面１２と、コンタクト保持突起９ｄと反対側の面である背面１３と、一対の側面１４と、を有する。各レセプタクル補助金具保持壁９ｂは、一対の側面１４と背面１３との境界近傍に角部１５を夫々備えている。そして、レセプタクル補助金具保持壁９ｂとレセプタクルコンタクト保持壁９ｃとの間には方向X0、方向X1に貫通するロック溝１６が形成されている。また、角部１５とレセプタクルコンタクト保持壁９ｃとの間には方向Z0、方向Z1方向に貫通する固定溝１７が形成されている。そして、レセプタクル補助金具保持壁９ｂの背面１３と側面１４は、レセプタクルハウジング９の外周面の一部を構成している。
【００３１】
複数のレセプタクルコンタクト１０は、図１（ｂ）に示すようにレセプタクルコネクタ５内で２列を成して並べられている。各レセプタクルコンタクト１０は、レセプタクルコンタクト保持壁９ｃとコンタクト保持突起９ｄに跨るようにレセプタクルコンタクト１０に保持されている。
【００３２】
（プラグハウジング６）
図１（ａ）及び図２（ａ）に示すように、プラグハウジング６は、プラグ側基板２のコネクタ搭載面２ａに対して対向する底壁６ａと、底壁６ａを方向Y0、方向Y1で挟む一対のプラグ補助金具保持壁６ｂと、底壁６ａを方向X0、方向X1で挟む一対のプラグコンタクト保持壁６ｃと、から構成されている。複数のプラグコンタクト７は、図２（ａ）に示すように各プラグコンタクト保持壁６ｃに２列を成して保持されている。プラグ補助金具保持壁６ｂには、プラグ補助金具８を保持するためのプラグ補助金具保持溝６ｄが形成されている。
【００３３】
そして、プラグコネクタ４とレセプタクルコネクタ５の結合時、プラグハウジング６はレセプタクルハウジング９内に収容される。詳しくは、プラグハウジング６の各プラグ補助金具保持壁６ｂは、レセプタクルハウジング９のコンタクト保持突起９ｄとレセプタクル補助金具保持壁９ｂの間に挿入される。プラグハウジング６の各プラグコンタクト保持壁６ｃは、レセプタクルハウジング９のコンタクト保持突起９ｄとレセプタクルコンタクト保持壁９ｃの間に挿入される。そして、この結果、前述したように、プラグハウジング６に２列で設けられた複数のプラグコンタクト７と、レセプタクルハウジング９に２列で設けられた複数のレセプタクルコンタクト１０とが一対一で接続されることになる。
【００３４】
（レセプタクル補助金具１１）
次に、図１〜図４を参照しつつ、レセプタクル補助金具１１について説明する。レセプタクル補助金具１１は、図３（ａ）及び図３（ｂ）に示すように、金属薄板を所定形状に打ち抜いたものを所定箇所で折り曲げることで形成されるものである。以下、レセプタクル補助金具１１は図３（ａ）等に示すように方向X0、方向X1において線対称であるから、レセプタクル補助金具１１を方向X0、方向X1において二分したレセプタクル補助金具部分１１ａについて説明する。
【００３５】
レセプタクル補助金具部分１１ａは、基板接地部２０と、ロック梁支持部２１と、ロック梁連結部２２と、ロック梁２３と、変位規制部２４と、スタビライザー２５と、を主たる構成として備えている。
【００３６】
ロック梁２３は、図１（ｂ）に示すように、レセプタクルハウジング９の外側においてレセプタクル側基板３のコネクタ搭載面３ａの面方向に対して平行に延びる撓み部２６を有する片持ち梁であって、図３（ｂ）に示すように自由端２７と固定端２８を有する。ロック梁２３は、撓み部２６と連結部２９によって構成されている。撓み部２６は、図１（ｂ）に示すように、レセプタクルハウジング９のレセプタクル補助金具保持壁９ｂの背面１３の所定位置に位置する固定端２８から背面１３に沿って側面１４側に延びる背面側撓み部２６ａと、背面側撓み部２６ａの先端から側面１４に沿ってレセプタクルコンタクト保持壁９ｃ側に延びる側面側撓み部２６ｂとによって構成されている。自由端２７は、図１（ｂ）に示すようにレセプタクルハウジング９内へ突出している。そして、撓み部２６と自由端２７は連結部２９によって連結されており、この連結部２９は図１（ｂ）に示すロック溝１６に収容されている。自由端２７は、図４に示すように方向X0、方向X1に向かって先細る形状となっており、法線方向が方向Z1寄りである上傾斜面３０と、法線方向が方向Z0寄りである下傾斜面３１とを有している。上傾斜面３０と下傾斜面３１との間には若干の丸みが形成されている。
【００３７】
基板接地部２０は、図１（ｂ）及び図２（ｂ）に示す固定溝１７に圧入されると共に、図１（ｂ）に示すレセプタクル側基板３のコネクタ搭載面３ａに対してハンダ付けされる。基板接地部２０は、レセプタクルハウジング９をレセプタクル側基板３のコネクタ搭載面３ａに対して固定するためのものである。
【００３８】
ロック梁支持部２１は、図３（ｂ）に示すように、基板接地部２０に接続されると共にロック梁２３に沿うように基板接地部２０からロック梁２３の固定端２８へ向かって、ロック梁２３とレセプタクル補助金具保持壁９ｂとの間で延びている（図１（ｂ）も併せて参照）。即ち、ロック梁２３はロック梁支持部２１よりも外側で延びている。このロック梁支持部２１は、背面側撓み部２６ａに沿って延びる背面側ロック梁支持部２１ａと、側面側撓み部２６ｂに沿って延びる側面側ロック梁支持部２１ｂと、から構成されている。ロック梁連結部２２は、ロック梁支持部２１をロック梁２３の固定端２８に連結するものである。本実施形態においてロック梁連結部２２は、ロック梁支持部２１の上端とロック梁２３の固定端２８の上端とを連結している。この構成で、ロック梁２３は、基板接地部２０によって支持されている。具体的には、ロック梁２３は、ロック梁支持部２１とロック梁連結部２２を介して、基板接地部２０によって間接的に支持されている。
【００３９】
変位規制部２４は、ロック梁２３の自由端２７の方向Z1への変位を規制するものである。この変位規制部２４は、図３（ａ）に示すように側面側ロック梁支持部２１ｂを介して基板接地部２０に一体的に連結させており、かつ、基板接地部２０の近傍に形成されている。そして、変位規制部２４は、連結部２９に対して方向Z1に隣接して形成されている。基板接地部２０は、変位規制部２４をレセプタクル側基板３のコネクタ搭載面３ａに対して固定することで変位規制部２４自体の変位を規制する機能を発揮する。なお、方向Z1は、図１（ａ）及び図１（ｂ）に示すように、プラグハウジング６をレセプタクルハウジング９から取り出す方向に相当している。
【００４０】
（プラグ補助金具８）
プラグ補助金具８は、図５（ａ）及び図５（ｂ）に示すように金属薄板を所定形状に打ち抜いたものである。プラグ補助金具８は、略矩形状であって、方向Z0の一対の隅部８ａに係合部３２が夫々形成されている。各係合部３２は、図６〜図９に示すように、プラグコネクタ４とレセプタクルコネクタ５を結合する際に、ロック梁２３の自由端２７を押し退け、ロック梁２３の自由端２７を乗り越えることで、ロック梁２３の自由端２７と係合する。各係合部３２は、方向X0、方向X1に向かって先細る形状となっており、法線方向が方向Z1と同一である上係止面３３と、法線方向が方向Z0寄りである下傾斜面３４と、を有している。
【００４１】
（コネクタ１の結合時の作動）
次に、図６（ａ）〜図９（ｂ）を参照しつつ、コネクタ１の結合時の作動を説明する。先ず、図１（ａ）及び図１（ｂ）に示す向きでプラグハウジング６をレセプタクルハウジング９内に挿入すると、プラグハウジング６とレセプタクルハウジング９による位置決め作用により、図６（ａ）及び図６（ｂ）に示すようにプラグ補助金具８の係合部３２と、レセプタクル補助金具１１のロック梁２３の自由端２７とが方向Z1、方向Z0において対向する。
【００４２】
続けて、プラグハウジング６をレセプタクルハウジング９内に挿入していくと、図７（ａ）及び図７（ｂ）に示すように、プラグ補助金具８の係合部３２の下傾斜面３４がレセプタクル補助金具１１のロック梁２３の自由端２７の上傾斜面３０に対して接触し、係合部３２は自由端２７を押し下げる。このとき、係合部３２の下傾斜面３４と自由端２７の上傾斜面３０との間では滑りが生じて、図７（ｂ）に示すように連結部２９は方向X1、方向X0へ若干退避する。更に言えば、側面側撓み部２６ｂから方向X1、方向X0に離れた位置で自由端２７が係合部３２によって押し下げられることで、側面側撓み部２６ｂにはねじりが発生する。
【００４３】
続けて、プラグハウジング６をレセプタクルハウジング９内に挿入していくと、図８（ａ）及び図８（ｂ）に示すように、側面側撓み部２６ｂには一層のねじりが発生し、この結果、連結部２９は、自由端２７を方向Z0方向に向かって下げるように大きく傾斜する。この連結部２９の傾斜により、自由端２７の上傾斜面３０とレセプタクル側基板３のコネクタ搭載面３ａとによって特定される上傾斜面３０の傾斜角θが増大する。上傾斜面３０の傾斜角θが増大することで、プラグハウジング６をレセプタクルハウジング９内へ挿入するときに係合部３２が自由端２７から受ける方向Z1の抵抗力が低減する。
【００４４】
続けて、プラグハウジング６をレセプタクルハウジング９内に挿入していくと、係合部３２は、ロック梁２３の自由端２７を押し退け、ロック梁２３の自由端２７を乗り越えて、図９（ａ）及び図９（ｂ）に示すように、ロック梁２３の自由端２７と係合する。換言すれば、係合部３２は、ロック梁２３の自由端２７を乗り越えて、ロック梁２３の自由端２７と方向Z0、方向Z1において対向している。これにより、コネクタ１の結合時の作動が完了する。本実施形態においてレセプタクル補助金具１１のロック梁２３の自由端２７はプラグ補助金具８に対して接触している。即ち、図９（ｂ）に示す状態で、レセプタクル補助金具１１のロック梁２３は、コネクタ１の結合前である図６（ｂ）の状態と比較して、方向X1、方向X0へ若干退避した状態となっている。
【００４５】
（コネクタ１の離脱時の作動）
次に、図１０（ａ）〜図１２（ｂ）を参照しつつ、コネクタ１の離脱時の作動を説明する。先ず、プラグコネクタ４のプラグハウジング６を方向Z1に引き上げると、図１０（ａ）及び図１０（ｂ）に示すように、プラグ補助金具８の係合部３２がロック梁２３の自由端２７の下傾斜面３１に接触し、係合部３２は自由端２７を押し上げようとする。しかしながら、連結部２９の方向Z1側には基板接地部２０によってレセプタクル側基板３のコネクタ搭載面３ａに対して強力に固定された変位規制部２４が隣接しているので、係合部３２にとって自由端２７を押し上げることは禁止される。
【００４６】
続けて、プラグコネクタ４のプラグハウジング６を方向Z1に引き上げると、係合部３２と自由端２７の下傾斜面３１との間では滑りが生じて、図１１（ａ）及び図１１（ｂ）に示すように連結部２９は方向X1、方向X0へ大きく退避する。このとき、自由端２７は一切押し上げられないので、側面側撓み部２６ｂにはねじりが発生しない。
【００４７】
続けて、プラグコネクタ４のプラグハウジング６を方向Z1に引き上げると、係合部３２が自由端２７を乗り越えて、図１２（ａ）及び図１２（ｂ）に示すようにコネクタ１の離脱時の作動が完了する。
【００４８】
（まとめ）
以上説明したように、本実施形態においてコネクタ１は、図１（ａ）〜図９（ｂ）に示すように、以下のように構成されている。コネクタ１は、プラグハウジング６と、プラグハウジング６に支持されるプラグコンタクト７とを有し、プラグ側基板２に搭載されるプラグコネクタ４と、プラグハウジング６を収容可能なレセプタクルハウジング９と、レセプタクルハウジング９に支持されるレセプタクルコンタクト１０とを有し、レセプタクル側基板３に搭載されるレセプタクルコネクタ５とを備える。プラグハウジング６をレセプタクルハウジング９内に収容するようにプラグコネクタ４とレセプタクルコネクタ５を結合することによってプラグコンタクト７とレセプタクルコンタクト１０が接触する。プラグコネクタ４とレセプタクルコネクタ５には、プラグコネクタ４とレセプタクルコネクタ５との結合力を確保するためのプラグ補助金具８とレセプタクル補助金具１１が夫々設けられる。レセプタクルコネクタ５のレセプタクル補助金具１１は、レセプタクルハウジング９の外側においてレセプタクル側基板３のコネクタ搭載面３ａの面方向に対して実質的に平行に延びる撓み部２６を有する片持ち梁状のロック梁２３を備える。プラグコネクタ４のプラグ補助金具８は、プラグコネクタ４とレセプタクルコネクタ５を結合する際に、ロック梁２３の自由端２７を押し退け、ロック梁２３の自由端２７を乗り越えることで、ロック梁２３の自由端２７と係合する係合部３２を有する。◆このようにレセプタクル補助金具１１がレセプタクルハウジング９の外側においてレセプタクル側基板３のコネクタ搭載面３ａの面方向に対して実質的に平行に延びる撓み部２６を有する片持ち梁状のロック梁２３を備えることで、特許文献１に開示のロック部と比較して以下の効果を奏する。即ち、ロック梁２３は、梁長さを大きく確保することができるので、撓み易い構成とすることができる。ロック梁２３が撓み易ければ、プラグ補助金具８の係合部３２が、ロック梁２３の自由端２７を押し退け易い。従って、以上の構成によれば、プラグコネクタ４とレセプタクルコネクタ５との結合時に必要となる力を低減することができる。
【００４９】
また、図１（ｂ）に示すように、ロック梁２３の撓み部２６はレセプタクルハウジング９の外周面（背面１３、側面１４等）に沿って延びている。ロック梁２３の自由端２７はレセプタクルハウジング９内へ突出している。◆以上の構成によれば、プラグ補助金具８の係合部３２がロック梁２３の自由端２７を押し退ける際、ロック梁２３の撓み部２６には、単純な曲げに加えてねじりが発生する。ロック梁２３の撓み部２６に曲げとねじりが同時に発生するので、ロック梁２３の自由端２７は一層変位し易い。ロック梁２３の自由端２７が変位し易いので、プラグ補助金具８の係合部３２が、ロック梁２３の自由端２７を押し退け易い。従って、以上の構成によれば、プラグコネクタ４とレセプタクルコネクタ５との結合時に必要となる力を一層低減することができる。
【００５０】
また、図４に示すように、ロック梁２３の自由端２７には、プラグ補助金具８の係合部３２がロック梁２３の自由端２７を押し退け易くするための上傾斜面３０が形成されている。◆以上の構成によれば、プラグコネクタ４とレセプタクルコネクタ５との結合時に必要となる力をより一層低減することができる。特筆すべきは、ロック梁２３の撓み部２６に発生するねじりにより上傾斜面３０のコネクタ搭載面３ａに対する傾斜角θが増大するので、プラグコネクタ４とレセプタクルコネクタ５との結合時にプラグ補助金具８の係合部３２がロック梁２３の自由端２７から受ける抵抗力が自動的に小さくなる。この意味でも、プラグコネクタ４とレセプタクルコネクタ５との結合時に必要となる力をより一層低減することができる。つまり、ロック梁２３の撓み部２６に発生するねじりは、ロック梁２３の自由端２７の変位のし易さに寄与するばかりでなく、上傾斜面３０の傾斜角θに変化をもたらすという意味において、特有の技術的意義を有している。
【００５１】
また、図４に示すように、コネクタ１は、プラグハウジング６をレセプタクルハウジング９から取り出す方向へのロック梁２３の自由端２７の変位を規制する変位規制部２４を更に備えた。◆以上の構成によれば、プラグハウジング６をレセプタクルハウジング９から取り出す際、ロック梁２３の撓み部２６のねじりの発生は禁止される。従って、プラグコネクタ４とレセプタクルコネクタ５との離脱時は、プラグコネクタ４とレセプタクルコネクタ５との結合時と比較して、ロック梁２３の自由端２７が変位し難くなる。従って、以上の構成によれば、プラグコネクタ４とレセプタクルコネクタ５との結合時に必要となる力は低減されると共に、プラグコネクタ４とレセプタクルコネクタ５との離脱時に必要となる力を十分に確保可能なコネクタ１が実現される。
【００５２】
また、図４に示すように、変位規制部２４は、レセプタクル補助金具１１の一部として形成されている。しかし、これに代えて、変位規制部２４は、レセプタクルハウジング９に一体的に形成してもよい。
【００５３】
また、図３（ａ）に示すように、レセプタクル補助金具１１は、変位規制部２４をレセプタクル側基板３のコネクタ搭載面３ａに対して固定することで変位規制部２４自体の変位を規制する基板接地部２０を更に備えている。◆以上の構成によれば、プラグハウジング６をレセプタクルハウジング９から取り出す方向へのロック梁２３の自由端２７の変位を効果的に規制することができる。
【００５４】
また、図３（ａ）に示すように、レセプタクル補助金具１１の基板接地部２０は、変位規制部２４の近傍に形成されている。◆以上の構成によれば、レセプタクル補助金具１１の基板接地部２０が変位規制部２４から遠く離れた位置に形成される場合と比較して、変位規制部２４自体の変位を一層効果的に規制することができる。
【００５５】
また、図３（ａ）及び図３（ｂ）に示すように、ロック梁２３は基板接地部２０によって支持されるようになっている。レセプタクル補助金具１１は、基板接地部２０に接続されると共に、ロック梁２３に沿うように基板接地部２０からロック梁２３の固定端２８へ向かって延びるロック梁支持部２１と、ロック梁支持部２１をロック梁２３の固定端２８に連結するロック梁連結部２２と、を更に備えている。◆即ち、基板接地部２０は変位規制部２４の近傍に位置し、変位規制部２４はロック梁２３の自由端２７の近傍に位置することになるから、基板接地部２０はロック梁２３の自由端２７の近傍に位置することになる。この構成で、ロック梁２３を基板接地部２０によって支持しようとすると、ロック梁２３の梁長さを殆ど確保することができないという問題が生じる。そこで、以上の構成によれば、ロック梁２３がロック梁連結部２２とロック梁支持部２１を介して基板接地部２０によって間接的に支持されることになるので、ロック梁２３の梁長さを問題なく大きく確保することができるようになる。
【００５６】
（第２実施形態）
次に、図１３（ａ）及び図１３（ｂ）を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００５７】
上記第１実施形態において変位規制部２４は、図３（ａ）に示すようにロック梁２３の連結部２９に対して方向Z1側に隣接している。これに対し、本実施形態に係る変位規制部２４は、図１３（ａ）に示すように側面側撓み部２６ｂに対して方向Z1側に隣接するように側面側ロック梁支持部２１ｂから外方へ向かって延びて形成されている。この場合でも、図１０（ｂ）に示すように、ロック梁２３の自由端２７の方向X0、方向X1への変位は許容されると共に、方向Z1への変位は禁止される。
【００５８】
また、上記第１実施形態においてロック梁連結部２２は、図３（ｂ）に示すようにロック梁支持部２１の背面側ロック梁支持部２１ａと、ロック梁２３の固定端２８とを、方向Z1側で連結している。これに対し、本実施形態においてロック梁連結部２２は、図１３（ｂ）に示すようにロック梁支持部２１の背面側ロック梁支持部２１ａと、ロック梁２３の固定端２８とを、方向Z0側で連結している。
【００５９】
（第３実施形態）
次に、図１４（ａ）及び図１４（ｂ）を参照しつつ、本願発明の第３実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００６０】
上記第１実施形態においてロック梁支持部２１は、図３（ａ）に示すようにロック梁２３の内側でロック梁２３に沿って延びて形成されている。これに対し、本実施形態に係るロック梁支持部２１は、図１４（ｂ）に示すようにロック梁２３の外側でロック梁２３に沿って延びて形成されている。
【００６１】
上記第１実施形態において変位規制部２４は、図３（ａ）に示すようにロック梁２３の連結部２９に対して方向Z1側に隣接している。これに対し、本実施形態に係る変位規制部２４は、図１４（ａ）に示すように側面側撓み部２６ｂに対して方向Z1側に隣接するように側面側ロック梁支持部２１ｂから内方へ向かって延びて形成されている。この場合でも、図１０（ｂ）に示すように、ロック梁２３の自由端２７の方向X0、方向X1への変位は許容されると共に、方向Z1への変位は禁止される。
【００６２】
また、上記第１実施形態においてロック梁連結部２２は、図３（ｂ）に示すようにロック梁支持部２１の背面側ロック梁支持部２１ａと、ロック梁２３の固定端２８とを方向Z1側で連結している。これに対し、本実施形態においてロック梁連結部２２は、図１４（ｂ）に示すようにロック梁支持部２１の背面側ロック梁支持部２１ａと、ロック梁２３の固定端２８とを方向Z0側で連結している。
【００６３】
（第４実施形態）
次に、図１５を参照しつつ、本願発明の第４実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００６４】
上記第１実施形態においてロック梁２３の自由端２７とプラグ補助金具８は、プラグコネクタ４とレセプタクルコネクタ５とが結合状態にあるとき、図９（ｂ）に示すように相互に接触しているとした。これに対し、本実施形態においてロック梁２３の自由端２７とプラグ補助金具８は、プラグコネクタ４とレセプタクルコネクタ５とが結合状態にあるとき、図１５に示すように接触していない。しかし、この場合でも、ロック梁２３の自由端２７とプラグ補助金具８の係合部３２は方向Z1において対向しているので、この意味で、プラグ補助金具８の係合部３２はロック梁２３の自由端２７に係合しているということができる。
【００６５】
（第５実施形態）
次に、図１６を参照しつつ、本願発明の第５実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００６６】
上記第１実施形態においてロック梁２３の自由端２７には、図４に示すように法線方向が方向Z0寄りの下傾斜面３１が形成されている。従って、図１０（ｂ）に示すように、係合部３２が自由端２７に対して方向Z1に接触すると、図１１（ｂ）に示すように自由端２７は方向X0、方向X1へ退避し、従って、係合部３２が自由端２７を乗り越えることができる。これに対し、本実施形態においてロック梁２３の自由端２７には、下傾斜面３１が形成されておらず、代わりに図１６に示すように方向Z1に対して直交する下係止面２７ａが形成されている。そして、プラグコネクタ４とレセプタクルコネクタ５とが結合状態にあるとき、自由端２７の下係止面２７ａと、係合部３２の上係止面３３とが方向Z1において対向する。自由端２７の下係止面２７ａも、係合部３２の上係止面３３も、何れも方向Z1に対して直交する面であるから、係合部３２が自由端２７に対して方向Z1に接触しても、自由端２７は方向X0、方向X1へ退避せず、従って、係合部３２は自由端２７を乗り越えることができない。このように自由端２７の下係止面２７ａと、係合部３２の上係止面３３とによって所謂嵌め殺しの構成が実現される。
【００６７】
（第６実施形態）
次に、図１７（ａ）〜図１９（ｂ）を参照しつつ、本願発明の第６実施形態を説明する。ここでは、本実施形態が上記第５実施形態と異なる点を中心に説明し、重複する説明は適宜省略する。また、上記第５実施形態の各構成要素に対応する構成要素には原則として同一の符号を付すこととする。
【００６８】
本実施形態においてレセプタクル補助金具１１は、図１７（ａ）及び図１７（ｂ）に示すようにレセプタクルハウジング９内に突出しているロック梁２３の自由端２７をその突出方向Dとは反対の方向Eへ退避させるロック解除機構３５を備えている。このロック解除機構３５は、図１８（ａ）及び図１８（ｂ）に示す片持ち梁状のトルク発生梁３６（トルク発生手段）によって構成されている。このトルク発生梁３６は、図１８（ｂ）に示すようにロック梁２３の撓み部２６の側面側撓み部２６ｂの長手方向中途部２６ｃに接続し、二点鎖線で示すレセプタクル側基板３のコネクタ搭載面３ａの面方向に対して実質的に平行に延びている。更に具体的には、トルク発生梁３６は、ロック梁２３の撓み部２６の側面側撓み部２６ｂの長手方向中途部２６ｃに接続し、ロック梁２３の固定端２８に向かって若干蛇行しながら延びている。そして、トルク発生梁３６は図１７（ａ）に示すようにレセプタクルハウジング９の外側に形成されており、即ち、トルク発生梁３６の自由端３６ａもレセプタクルハウジング９の外側に形成されている。図１７（ａ）に示すようにトルク発生梁３６の自由端３６ａはレセプタクルハウジング９のレセプタクル補助金具保持壁９ｂの背面１３に対して対向している。
【００６９】
次に、トルク発生梁３６によって構成されたロック解除機構３５の作動を説明する。図１９（ａ）及び図１９（ｂ）はロック解除機構３５を底面視で描いたものである。図１９（ａ）にはレセプタクル補助金具１１のロック梁２３の自由端２７が、プラグ補助金具８の係合部３２に対して係合している係合状態を示している。図１９（ｂ）にはロック解除機構３５によるロック解除状態を示している。
【００７０】
図１９（ａ）の係合状態でトルク発生梁３６の自由端３６ａをレセプタクルハウジング９のレセプタクル補助金具保持壁９ｂの背面１３に向かって白抜き矢印で示すように押すと、ロック梁２３にはトルクTが発生する。一方、ロック梁２３は固定端２８でレセプタクル補助金具１１に支持されているので、ロック梁２３は、図１９（ｂ）に示すように、固定端２８近傍を中心に、レセプタクルハウジング９内に突出しているロック梁２３の自由端２７がその突出方向Dとは反対の方向Eへ退避するように弾性変形する。そしてこの結果、図１９（ａ）に示すように底面視でレセプタクル補助金具１１のロック梁２３の自由端２７と、プラグ補助金具８の係合部３２とが重複する係合状態から、図１９（ｂ）に示すように底面視でレセプタクル補助金具１１のロック梁２３の自由端２７と、プラグ補助金具８の係合部３２とが重複しないロック解除状態へと移行する。図１９（ｂ）に示すようにコネクタ１の状態を係合状態からロック解除状態へと切り替えておけば、レセプタクルコネクタ５からプラグコネクタ４を小さな力で離脱させることができる。
【００７１】
（まとめ）
以上説明したように本実施形態において、図１７（ａ）及び図１７（ｂ）に示すように、レセプタクルハウジング９内に突出しているロック梁２３の自由端２７をその突出方向Dとは反対の方向Eへ退避させるロック解除機構３５が設けられた。◆以上の構成によれば、プラグ補助金具８の係合部３２と、ロック梁２３の自由端２７との係合を強制的に解除できるので、プラグコネクタ４とレセプタクルコネクタ５との離脱時に必要となる力を低減することができる。
【００７２】
また、図１８（ａ）及び図１８（ｂ）に示すように、ロック解除機構３５は、レセプタクルハウジング９内に突出しているロック梁２３の自由端２７をその突出方向Dとは反対の方向Eへ退避させるようなトルクTをロック梁２３に対して発生させるトルク発生梁３６（トルク発生手段）によって構成されている。◆以上の構成によれば、ロック解除機構３５が簡素なメカニズムで実現される。
【００７３】
また、図１８（ｂ）に示すように、トルク発生梁３６は、ロック梁２３の長手方向中途部２６ｃに接続し、レセプタクル側基板３のコネクタ搭載面３ａの面方向に対して実質的に平行に延びる片持ち梁状である。◆以上の構成で、トルク発生梁３６の自由端３６ａを操作すると、レセプタクルハウジング９内に突出しているロック梁２３の自由端２７をその突出方向Dとは反対の方向Eへ退避させるようなトルクTを発生させることができる。このように、以上の構成によれば、簡素な構成でトルクTの発生を実現できる。
【００７４】
また、図１７（ａ）に示すように、トルク発生梁３６の自由端３６ａは、レセプタクルハウジング９の外側に形成されている。◆以上の構成によれば、トルク発生梁３６の自由端３６ａの操作性が良好となる。
【００７５】
（第７実施形態）
次に、図２０〜２１を参照しつつ、本願発明の第７実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００７６】
上記第１実施形態において変位規制部２４は、図３（ａ）に示すようにロック梁２３の連結部２９に対して方向Z1側に隣接している。これに対し、本実施形態に係る変位規制部２４は、図２０及び図２１に示すように、ロック梁２３の連結部２９に対して方向Z0側に隣接している。
【００７７】
また、本実施形態では、図２０及び図２１に示すように、ロック梁２３の連結部２９の先端には、方向Z0へ向かって（レセプタクル側基板３のコネクタ搭載面３ａへ向かって）延びる垂直部３７が形成されている。また、垂直部３７の先端には、連結部２９と変位規制部２４を挟んで反対側に突出する第１係合突部３８が形成されている。垂直部３７の長手方向の中途部には、上記第１実施形態の自由端２７に相当する第２係合突部３９が形成されている。即ち、本実施形態においてロック梁２３は、撓み部２６と、連結部２９と、垂直部３７と、第１係合突部３８、第２係合突部３９を主たる構成として有している。
【００７８】
（コネクタ１の結合時の作動）
コネクタ１の結合の際には、プラグコネクタ４のプラグ補助金具８の係合部３２は、プラグコネクタ４とレセプタクルコネクタ５を結合する際、ロック梁２３の第２係合突部３９を押し退け、ロック梁２３の第２係合突部３９を乗り越えて、ロック梁２３の第２係合突部３９と係合する。
【００７９】
（コネクタ１の離脱時の作動）
一方、コネクタ１の離脱の際には、プラグコネクタ４のプラグハウジング６を方向Z1に引き上げると、プラグ補助金具８の係合部３２がロック梁２３の第２係合突部３９に接触し、係合部３２は第２係合突部３９を押し上げようとする。しかしながら、第１係合突部３８の方向Z1側には基板接地部２０によってレセプタクル側基板３のコネクタ搭載面３ａに対して強力に固定された変位規制部２４が隣接しているので、係合部３２にとって第２係合突部３９を押し上げることは禁止される。
【００８０】
（第８実施形態）
次に、図２２〜２９を参照しつつ、本願発明の第８実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００８１】
（レセプタクルハウジング９）
図２２に示すように、各レセプタクル補助金具保持壁９ｂは、一対の側面１４の下部近傍に角部１５を夫々備えている。そして、レセプタクル補助金具保持壁９ｂとレセプタクルコンタクト保持壁９ｃとの間には方向X0、方向X1に貫通するロック溝１６が形成されている。また、各レセプタクル補助金具保持壁９ｂの上面４０には、金具取り付け孔４０ａが二つ、形成されている。
【００８２】
また、図２３に示すように、レセプタクルハウジング９には、コネクタ１の高さ方向における中途部において、レセプタクルハウジング９の内側に突出する変位規制部２４が形成されている。
【００８３】
次に、図２３から図２７を参照しつつ、レセプタクル補助金具１１とプラグ補助金具８を説明する。図２３は、コネクタ１の結合状態を示している。
【００８４】
（レセプタクル補助金具１１）
レセプタクル補助金具１１は、図２４及び図２５に示すように、金属薄板を所定形状に打ち抜いたものを所定箇所で折り曲げることで形成されるものである。以下、レセプタクル補助金具１１は図２４等に示すように方向X0、方向X1において線対称であるから、レセプタクル補助金具１１を方向X0、方向X1において二分したレセプタクル補助金具部分１１ａについて説明する。
【００８５】
レセプタクル補助金具部分１１ａは、基板接地部２０と、ロック梁２３と、スタビライザー２５と、金具固定片４４と、を主たる構成として備えている。
【００８６】
ロック梁２３は、図２２に示すように、レセプタクルハウジング９の外側においてレセプタクル側基板３のコネクタ搭載面３ａ（図１を併せて参照）の面方向に対して平行に延びる撓み部２６を有する片持ち梁である。ロック梁２３は、撓み部２６と連結部２９、垂直部４１、第１係合突部４２、第２係合突部４３によって構成されている。撓み部２６は、図２２に示すように、レセプタクルハウジング９のレセプタクル補助金具保持壁９ｂの背面１３の所定位置に位置する固定端２８から背面１３に沿って側面１４側に延びる背面側撓み部２６ａと、背面側撓み部２６ａの先端から側面１４に沿ってレセプタクルコンタクト保持壁９ｃ側に延びる側面側撓み部２６ｂとによって構成されている。図２２に示すように、連結部２９は、側面側撓み部２６ｂの先端に接続し、レセプタクルハウジング９のロック溝１６を貫通して、レセプタクルハウジング９内へ至る。図２３に示すように、垂直部４１は、連結部２９の先端に接続し、レセプタクルハウジング９内において、レセプタクル側基板３のコネクタ搭載面３ａ（図１を併せて参照）に対して直交する方向で、レセプタクル側基板３のコネクタ搭載面３ａに向かって延びる。垂直部４１の先端には、連結部２９と、レセプタクルハウジング９の変位規制部２４を挟んで反対側に突出する第１係合突部４２が形成されている。垂直部４１の長手方向の中途部には、上記第１実施形態の自由端２７に相当する第２係合突部４３が形成されている。第２係合突部４３は、上傾斜面３０と下傾斜面３１を有する。
【００８７】
図２２に示す基板接地部２０は、図１（ｂ）に示すレセプタクル側基板３のコネクタ搭載面３ａに対してハンダ付けされる。本実施形態において、レセプタクル補助金具１１は、一つの基板接地部２０を備えている。
【００８８】
図２５に示すように、ロック梁２３は、スタビライザー２５を介して基板接地部２０によって間接的に支持されている。
【００８９】
金具固定片４４は、図２２に示すように、レセプタクルハウジング９のレセプタクル補助金具保持壁９ｂに形成した金具取り付け孔４０ａ内に圧入される。
【００９０】
（プラグ補助金具８）
プラグ補助金具８は、図２６に示すように金属薄板を所定形状に打ち抜いたものである。プラグ補助金具８は、略逆U字形状であって、プラグ側基板２のコネクタ搭載面２ａ（図２（ａ）を併せて参照）の面方向に対して平行に延びる基部４５と、基部４５の両端に接続し、基部４５の長手に対して直交する方向に延びる一対の脚部４６と、から構成されている。各脚部４６の先端には係合部３２が形成されている。各係合部３２は、上係止面３３と下傾斜面３４を有している。各係合部３２は、図２７及び図２８に示すように、プラグコネクタ４とレセプタクルコネクタ５を結合する際に、ロック梁２３の垂直部４１の第２係合突部４３を押し退け、第２係合突部４３を乗り越えることで、第２係合突部４３と係合する。
【００９１】
（コネクタ１の結合時の作動）
次に、図２７及び図２８を参照しつつ、コネクタ１の結合時の作動を説明する。先ず、図１（ａ）及び図１（ｂ）に示す向きでプラグハウジング６をレセプタクルハウジング９内に挿入すると、プラグハウジング６とレセプタクルハウジング９による位置決め作用により、プラグ補助金具８の係合部３２と、レセプタクル補助金具１１のロック梁２３の垂直部４１の第２係合突部４３とが方向Z1、方向Z0において対向し、図２７に示すように接触する。詳しくは、プラグコネクタ４のプラグ補助金具８の係合部３２の下傾斜面３４と、レセプタクルコネクタ５のレセプタクル補助金具１１のロック梁２３の垂直部４１の第２係合突部４３の上傾斜面３０と、が接触する。
【００９２】
続けて、プラグハウジング６をレセプタクルハウジング９内に挿入していくと、プラグ補助金具８の係合部３２はレセプタクル補助金具１１のロック梁２３の垂直部４１の第２係合突部４３を押し下げる。このとき、係合部３２の下傾斜面３４と第２係合突部４３の上傾斜面３０との間では滑りが生じて、連結部２９は方向X1、方向X0へ若干退避する。更に言えば、側面側撓み部２６ｂから方向X1、方向X0に離れた位置で第２係合突部４３が係合部３２によって押し下げられることで、側面側撓み部２６ｂにはねじりが発生する。
【００９３】
続けて、プラグハウジング６をレセプタクルハウジング９内に挿入していくと、係合部３２は、ロック梁２３の垂直部４１の第２係合突部４３を押し退け、第２係合突部４３を乗り越えて、図２８に示すように、第２係合突部４３と係合する。換言すれば、係合部３２は、第２係合突部４３を乗り越えて、第２係合突部４３と方向Z0、方向Z1において対向している。これにより、コネクタ１の結合時の作動が完了する。
【００９４】
ここで、図２８に示すように、本実施形態においてレセプタクル補助金具１１のロック梁２３の垂直部４１は、コネクタ１の結合前である図２７に示す状態と比較して、方向X1、方向X0へ若干退避した状態となっている。即ち、レセプタクル補助金具１１のロック梁２３の垂直部４１は、第１係合突部４２がレセプタクルハウジング９の変位規制部２４の下方に潜り込むように、変位している。従って、図２７及び図２８に示すように、レセプタクル補助金具１１のロック梁２３の第１係合突部４２と、レセプタクルハウジング９の変位規制部２４と、の方向X0、X1におけるオーバーラップ量が、コネクタ１の結合により増加する結果となっている。裏を返せば、コネクタ１の結合により、レセプタクル補助金具１１のロック梁２３の第１係合突部４２と、レセプタクルハウジング９の変位規制部２４と、の方向X0、X1におけるオーバーラップ量が増加する。従って、コネクタ１の結合前において、レセプタクル補助金具１１をレセプタクルハウジング９に対して取り付ける際は、レセプタクル補助金具１１のロック梁２３の第１係合突部４２と、レセプタクルハウジング９の変位規制部２４と、の方向X0、X1におけるオーバーラップ量は、十分でなくてもよい。ここで、「十分」とは、レセプタクルハウジング９の変位規制部２４に対してレセプタクル補助金具１１のロック梁２３の第１係合突部４２が物理的に干渉することにより、レセプタクルハウジング９の変位規制部２４が、ロック梁２３の垂直部４１の第２係合突部４３の方向Z1への変位を規制できる程度、を意味する。要するに、プラグコネクタ４とレセプタクルコネクタ５を結合する際に第１係合突部４２が変位する方向を、第１係合突部４２と変位規制部２４との方向X0、X1におけるオーバーラップ量が大きくなるような方向と一致させることで、プラグコネクタ４とレセプタクルコネクタ５との結合前における第１係合突部４２と変位規制部２４との方向X0、X1におけるオーバーラップ量は少なくすることができ、もって、レセプタクルハウジング９に対するレセプタクル補助金具１１の取り付けを容易とすることが可能となる。
【００９５】
（コネクタ１の離脱時の作動）
次に、図２９を参照しつつ、コネクタ１の離脱時の作動を説明する。先ず、プラグコネクタ４のプラグハウジング６を方向Z1に引き上げる。すると、図２９に示すように、プラグ補助金具８の係合部３２がロック梁２３の垂直部４１の第２係合突部４３の下傾斜面３１に接触し、係合部３２は第２係合突部４３を押し上げようとする。しかしながら、第１係合突部４２の方向Z1側には基板接地部２０によってレセプタクル側基板３のコネクタ搭載面３ａに対して強力に固定されたレセプタクルハウジング９の変位規制部２４が隣接しているので、係合部３２にとって第２係合突部４３を押し上げることは禁止される。
【００９６】
続けて、プラグコネクタ４のプラグハウジング６を方向Z1に引き上げると、係合部３２と第２係合突部４３の下傾斜面３１との間では滑りが生じて、連結部２９は方向X1、方向X0へ大きく退避する。このとき、第２係合突部４３は一切押し上げられないので、側面側撓み部２６ｂにはねじりが発生しない。
【００９７】
続けて、プラグコネクタ４のプラグハウジング６を方向Z1に引き上げると、係合部３２が第２係合突部４３を乗り越えて、コネクタ１の離脱時の作動が完了する。
【００９８】
（まとめ）
以上説明したように本実施形態において変位規制部２４は、レセプタクルコネクタ５のレセプタクルハウジング９の一部として形成されている。即ち、変位規制部２４をレセプタクル補助金具１１自身の一部として形成すると、レセプタクル補助金具１１の構造がどうしても複雑となってしまう。これに対し、以上に説明したように、変位規制部２４をレセプタクル補助金具１１ではなくレセプタクルハウジング９の一部として形成すると、レセプタクル補助金具１１の構成が簡素とすることができる。レセプタクル補助金具１１の構成が複雑であるか簡素であるかは、レセプタクル補助金具１１を金属板の折り曲げ加工によって形成する場合、コネクタ１の製造コストを大きく左右する。従って、変位規制部２４をレセプタクルハウジング９の一部として形成することで、コネクタ１の製造コストを低減できる。
【００９９】
また、上記実施形態のようにレセプタクルハウジング９が金型成型によって形成される樹脂製である場合は、レセプタクルハウジング９自身に変位規制部２４を形成することは、レセプタクル補助金具１１の折り曲げ加工と比較して総合的に安価となる。この意味でも、変位規制部２４をレセプタクルハウジング９の一部として形成することで、コネクタ１の製造コストを低減できる。
【０１００】
また、図１（ｂ）に示すように、上記第１実施形態においてコネクタ１の高さ（レセプタクル側基板３のコネクタ搭載面３ａを基準としたコネクタ１の高さ）は、レセプタクル補助金具１１によって支配されている。換言すれば、コネクタ１の高さは、レセプタクル補助金具１１の構造の複雑さによって支配されている。つまり、上記第１実施形態では、レセプタクル補助金具１１自身に変位規制部２４を形成したことでレセプタクル補助金具１１は構造上複雑となっており、更なる低背化は困難である。これに対し、本実施形態では変位規制部２４をレセプタクル補助金具１１ではなくレセプタクルハウジング９の一部として形成しているので、レセプタクル補助金具１１は構造上簡素となっている。レセプタクル補助金具１１が構造上簡素となっているので、コネクタ１の高さが抑えられ、所謂コネクタ１の低背化が実現されている。
【０１０１】
更に言えば、例えば図３（ａ）に示すように、上記第１実施形態では、変位規制部２４自体の変位を効果的に規制するために、レセプタクル補助金具１１の基板接地部２０を変位規制部２４の近傍に形成することにしている。しかし、これに対し、本実施形態では、変位規制部２４をレセプタクルハウジング９の一部として形成していることで、もはや、基板接地部２０を変位規制部２４の近傍に形成する必要はない。この点、変位規制部２４をレセプタクル補助金具１１の一部として形成する場合と比較して、変位規制部２４をレセプタクルハウジング９の一部として形成することで、基板接地部２０の形成位置に関して設計の自由度が高くなる、といった特段の効果が認められる。
【０１０２】
（第９実施形態）
次に、図３０〜３１を参照しつつ、本願発明の第９実施形態を説明する。ここでは、本実施形態が上記第８実施形態と異なる点を中心に説明し、重複する説明は適宜省略する。また、上記第８実施形態の各構成要素に対応する構成要素には原則として同一の符号を付すこととする。
【０１０３】
上記第８実施形態において基板接地部２０は、図２５に示すように、レセプタクルハウジング９のコンタクト保持突起９ｄと、レセプタクルハウジング９のレセプタクル補助金具保持壁９ｂを挟んで反対側となる位置に形成されている（図１（ｂ）を併せて参照）。これに対し、本実施形態において基板接地部２０は、ロック梁２３の連結部２９近傍に設けられる。
【０１０４】
詳しくは、レセプタクル補助金具部分１１ａは、基板接地部２０と、ロック梁支持部２１と、ロック梁連結部２２と、ロック梁２３と、スタビライザー２５と、を主たる構成として備えている。
【０１０５】
ロック梁支持部２１は、ロック梁２３の背面側撓み部２６ａ及び側面側撓み部２６ｂと略平行に、撓み部２６の内側で延びている。ロック梁支持部２１の一端はロック梁連結部２２を介して撓み部２６に接続されており、ロック梁支持部２１の他端は基板接地部２０に接続されている。
【０１０６】
このように基板接地部２０を設ける位置については、レセプタクル補助金具１１のロック梁２３の変形を阻害しない限り、任意に決定することができる。
【符号の説明】
【０１０７】
１  コネクタ（電気コネクタ）
２  プラグ側基板（第１の基板）
２ａ  コネクタ搭載面
３  レセプタクル側基板（第２の基板）
３ａ  コネクタ搭載面
４  プラグコネクタ（第１のコネクタ部分）
５  レセプタクルコネクタ（第２のコネクタ部分）
６  プラグハウジング（第１のハウジング）
７  プラグコンタクト（第１のコンタクト）
８  プラグ補助金具（第１の補助金具）
９  レセプタクルハウジング（第２のハウジング）
１０  レセプタクルコンタクト（第２のコンタクト）
１１  レセプタクル補助金具（第２の補助金具）
１３  背面
１４  側面
２０  基板接地部
２１  ロック梁支持部
２２  ロック梁連結部
２３  ロック梁
２４  変位規制部
２６  撓み部
２７  自由端
２８  固定端
２９  連結部
３０  上傾斜面（傾斜面）
３２  係合部
３５  ロック解除機構
３６  トルク発生梁（トルク発生手段）
３６ａ  自由端
３９  第２係合突部（自由端）
４３  第２係合突部（自由端）
D  突出方向
E  突出方向と反対の方向
T  トルク
【図１】
0005498883.tif 000002
【図２】
0005498883.tif 000003
【図３】
0005498883.tif 000004
【図４】
0005498883.tif 000005
【図５】
0005498883.tif 000006
【図６】
0005498883.tif 000007
【図７】
0005498883.tif 000008
【図８】
0005498883.tif 000009
【図９】
0005498883.tif 000010
【図１０】
0005498883.tif 000011
【図１１】
0005498883.tif 000012
【図１２】
0005498883.tif 000013
【図１３】
0005498883.tif 000014
【図１４】
0005498883.tif 000015
【図１５】
0005498883.tif 000016
【図１６】
0005498883.tif 000017
【図１７】
0005498883.tif 000018
【図１８】
0005498883.tif 000019
【図１９】
0005498883.tif 000020
【図２０】
0005498883.tif 000021
【図２１】
0005498883.tif 000022
【図２２】
0005498883.tif 000023
【図２３】
0005498883.tif 000024
【図２４】
0005498883.tif 000025
【図２５】
0005498883.tif 000026
【図２６】
0005498883.tif 000027
【図２７】
0005498883.tif 000028
【図２８】
0005498883.tif 000029
【図２９】
0005498883.tif 000030
【図３０】
0005498883.tif 000031
【図３１】
0005498883.tif 000032
【図３２】
0005498883.tif 000033
【図３３】
0005498883.tif 000034
【図３４】
0005498883.tif 000035